(57)【要約】【課題】使用者が歩行や走行等の運動を行っても、必要に応じて収容した物品等の揺れを容易に防止することができる構造を備えたリュックサックを提供する。【解決手段】荷物を収容する収容部１２ａ，１２ｂ，１２ｃを複数有し、外側面に使用者の背中と対面する背中面１４が形成された袋体１２を有する。袋体１２に取り付けられ使用者の肩に当接する肩ベルト２０と、使用者の腰周りに当接する腰ベルト２６を備える。複数の収容部１２ａ，１２ｂ，１２ｃには、背中面１４と平行な一の仕切り部分に、袋体１２の側面方向に貫通する貫通孔１８を備える。腰ベルト２６は、貫通孔１８に挿通されて、その開口部両側から両端部２６ｂが突出する。【選択図】図３
2009189430.tif 000002
【特許請求の範囲】
【請求項１】
荷物を収容する収容部が複数設けられ、外側面に使用者の背中と対面する背中面が形成された袋体と、前記袋体に取り付けられ、使用者の肩に当接する肩ベルトと、使用者の腰周りに当接する腰ベルトとを備えたリュックサックにおいて、
前記複数の収容部には、収容部を仕切る仕切り面のうち前記背中面と平行な一の仕切り部分に、前記袋体の側面方向に貫通する貫通孔が形成され、前記腰ベルトは、前記貫通孔に挿通されて、その開口部両側から両端部が突出し、使用状態で、前記貫通孔よりも前記背中面側に位置する前記収容部中の収納物を、使用者の背中と前記腰ベルトによって挟持可能としたことを特徴とするリュックサック。
【請求項２】
前記貫通孔は、前記収納部を仕切った仕切り面の一対の離間面から成り、前記離間面のうち少なくとも一方の離間面は、当接する前記腰ベルト表面部分に、面ファスナによって着脱可能に固定されることを特徴とする請求項１記載のリュックサック。
【請求項３】
前記貫通孔の開口部から突出する前記腰ベルトの一対の端部は、シート状の接続部材を介して前記背中面に接合され、前記腰ベルトの両端部と前記接続部材は、使用者の背中から腰部かけて当接する当接面を一体に形成したことを特徴とする請求項１記載のリュックサック。
【請求項４】
前記複数の収容部のうち、最も背中面側の収容部は液体収容部であって、前記背中面には、前記液体収容部に収容された液体を視認可能な視認窓が設けられていることを特徴とする請求項１記載のリュックサック。
【発明の詳細な説明】
【技術分野】
【０００１】
この発明は、荷物等を背負って持ち運ぶリュックサックに関する。
【背景技術】
【０００２】
従来、旅行や登山、山などの自然の中を走るトレイルランニング等に使用されるリュックサックにおいては、使用者が背負った後、腰ベルトを使用者の腰周りに締め付け、荷物を収容した袋体を使用者の背中の腰部分に密着させる構造が採用されている。このような構造は、使用者が歩行や走行等の運動を行ったときに発生する、荷物自体の揺れを抑え、肩ベルトを介して肩に加わる負荷を軽減するものである。
【０００３】
例えば、特許文献１に開示されたヒップバッグ式リュックサックは、袋体の後側面および左右側面部分をメッシュ状の布体で覆い、その布体の端部に幅細のウエストベルトが左右一対に取付けられ、ウエストベルトを使用者の腰周りに固定する構造を備えている。このリュックサックは、使用者の身体に装着されると、袋体に収容された物品等が上記メッシュ状の布体と使用者の背中の間で挟持されるので、物品が比較的揺れにくいものである。
【０００４】
また、特許文献２に開示されたリュックサックは、所定の物品等を収容する収容部を設けた本体と、肩ベルトを備えた背当板との間を離間し、その間に、別の物品等を収容する袋状体をネット状の保持部で保持する構造を備えている。従って、例えば、濡れてはならない物は本体の収容部に入れ、濡れてもよい物（例えば濡れたタオル等）はネット状の保持部に各々分けて収容することができ、それらを一体に背負って携行することができるものである。
【特許文献１】特開２００２−２８０２７号公報
【特許文献２】特開２０００−２１０１２２号公報
【発明の開示】
【発明が解決しようとする課題】
【０００５】
しかしながら、特許文献１のヒップバッグ式リュックサックにあっては、リュックサック全体をウエストベルトとメッシュ状の布体により、腰に固定してしまうことになり、ランニング等の動きの激しい場合には、体の動きを阻害してしまうものである。
【０００６】
また、特許文献２のリュックサックにあっては、使用者の背中と袋状体との密着性、及び使用者と本体との密着性が十分とはいえず、使用者が歩行や走行等の運動を行ったときに、２つの収容部で収容した物品等が揺れ動いてしまい、背負い心地の悪いものであった。
【０００７】
この発明は、上記背景技術に鑑みてなされたもので、使用者が歩行や走行等の運動を行う場合に、必要に応じて収容した物品等の揺れを適切に抑えることができる構造を備えたリュックサックを提供することを目的とする。
【課題を解決するための手段】
【０００８】
この発明は、荷物を収容する収容部が複数設けられ、外側面に使用者の背中と対面する背中面が形成された袋体と、前記袋体に取り付けられ、使用者の肩に当接する肩ベルトと、使用者の腰周りに当接する腰ベルトとを備えたリュックサックであって、前記複数の収容部には、収容部を仕切る仕切り面のうち前記背中面と平行な一の仕切り部分に、前記袋体の側面方向に貫通する貫通孔が形成され、前記腰ベルトは、前記貫通孔に挿通されて、その開口部両側から両端部が突出し、使用状態で、前記貫通孔よりも前記背中面側に位置する前記収容部中の収納物を、使用者の背中と前記腰ベルトによって挟持可能としたリュックサックである。
【０００９】
また、前記貫通孔は、前記収納部を仕切った仕切り面の一対の離間面から成り、前記離間面のうち少なくとも一方の離間面は、当接する前記腰ベルト表面部分に、面ファスナによって着脱可能に固定されるものである。
【００１０】
さらに、前記貫通孔の開口部から突出する前記腰ベルトの一対の端部は、シート状の接続部材を介して前記背中面に接合され、前記腰ベルトの両端部と前記接続部材は、使用者の背中から腰部かけて当接する当接面を一体に形成したものである。
【００１１】
また、前記複数の収容部のうち、最も背中面側の収容部は液体収容部であって、前記背中面には、前記液体収容部に収容された液体を視認可能な視認窓が設けられている。
【発明の効果】
【００１２】
この発明のリュックサックによれば、荷物を収容する袋体に複数の収容部を備えており、異なる種類の物品等を分別して収容することができる。また、比較的重い物品等は、腰ベルトと背中の間で挟持される側の収納部に選択的に収容すれば、リュックサックを身体に装着したときに、重い物品等を確実に背中に押しつけることができ、運動等しても物品等の揺れが少なく、動きやすく背負い心地もよい。
【００１３】
さらに、貫通孔の離間面を、面ファスナによって腰ベルトに当接状態で固定することによって、背中と腰ベルトの間に物品をしっかりと挟持できる好ましい状態が維持される。
【００１４】
また、背中面は、シート状の接続部材を介して腰ベルトの一対の端部に接合され、腰ベルトの動きと一体に動くので、背中面は、身体に腰ベルト装着したときに皺にならない。
【００１５】
さらに、袋体の最も背中面側に、飲料水等のタンクの収容部を設け、さらにその液体の残量を外部から確認できる視認窓が設けられているので、トレイルランニング競技等に使用される高機能リュックサック等の用途に応用が可能である。
【発明を実施するための最良の形態】
【００１６】
以下、この発明の一実施形態について、図１〜図３に基づいて説明する。リュックサック１０は、図１に示すように、荷物を収容する袋体１２を備え、一側面に使用者の背中に当接する背中面１４が設けられている。袋体１２の内部は背中面１４とほぼ平行に３つに区切られ、背中面１４側から順番に収容部１２ａ，１２ｂ，１２ｃが形成され、各収容部の上開口部にはスライドファスナ１６が開閉自在に設けられている。また、図３に示すように、収容部１２ａ，１２ｂとの境界は、下側約２／３が離間している。そして、背中面側の離間面１８ａと外側に離間面１８ｂは互いに対向し、袋体１２の両側面方向に貫通する貫通孔１８を形成している。なお、離間面１８ｂには、後述する腰ベルト２６を固定するための面ファスナ３０ｂが取り付けられている。
【００１７】
背中面１４の上端部には、図２に示すように、一対の肩ベルト２０が上方に突出して設けられている。肩ベルト２０は、使用者の肩に当接する側の面が硬質パット材にて形成されており、肩に加わる荷重を分散させる働きをする。肩ベルト２０の先端部には各々バックル２２が取り付けられ、背中面１４の下端部に取り付けられた平紐２４の先端部が各々挿通され固定されている。また、一対の肩ベルト２０は、左右に離反して肩からリュックサック１０が抜け落ちないように、長さ調節可能な胸ベルト２６で互いに連結されている。
【００１８】
腰ベルト２６は、図２に示すように、使用者の腰周りの約２／３程度の長さを有する帯体である。中央に幅広部２６ａが形成され、幅広部１６ａの左右に端部２６ｂが延設されている。端部２６ｂの外面側にはポケット２６ｃが形成され、図示しない開口部から小物などを出し入れすることができる。
【００１９】
この腰ベルト２６は、袋体１２の貫通孔１８に挿通され、中間部には幅広部２６ａが形成され、幅広部２６ａは背中面１４の中央付近に中心が位置し、端部２６ｂが貫通孔１８から左右一対に突出している。幅広部２６ａの一方の面には、図３に示すように、面ファスナ３０ａが取り付けられ、収容部１２ｂ側の離間面１８ｂに設けられた面ファスナ３０ｂと係合し、離間面１８ｂは幅広部２６ａに固定されている。
【００２０】
貫通孔１８から突出する腰ベルト２６の一対の端部２６ｂの突端は、図２に示すように、長さ調節可能な腰部締付ベルト２８で互いに連結されている。また、貫通孔１８から突出した一対の端部２６ｂは、メッシュシート状の接続部材３２の先端部に縫い付けられ、さらに接続部材３２は、背中面１２に縫い付けられている。従って、背中面１２は接続部材３２を介して腰ベルト２６に保持され、一対の端部２６ｂおよび接続部材３２は、使用者の背中から腰にかけての広い範囲にフィットする当接面を一体に形成している。
【００２１】
なお、収容部１２ａは、飲料水を入れたタンクであるリザーバー３６を収納可能に設けられている。使用者は、図示しないストローチューブを通して、飲料水をリザーバー３６から吸飲することができる。また、背中面１２の中央付近には、収容部１２ａの内部を視認可能な視認窓３４が設けられており、リザーバー３６の飲料水残量を外部から確認することができる。
【００２２】
このような構成のリュックサック１０によれば、荷物を収容する袋体１２に複数の収容部を備えており、異なる種類の物品等を分別して収容することができる。また、比較的重い物品等は、腰ベルト２６と背中の間で挟持される側の収容部１２ａに選択的に収容すれば、リュックサック１０を身体に装着したときに、重い物品等が確実に背中に密着させることができ、運動等しても物品等の揺れ動きが発生せず背負い心地がよい。
【００２３】
さらに、貫通孔１８を形成する後方の離間面１８ｂを、面ファスナ３０ａ，３０ｂを介して腰ベルト２６の幅広部２６ａに当接状態に固定しているので、貫通孔１８より外側にある収納部中の物品等の揺れ動きを小さくすることができる。なお、背中面１２側の離間面１８ａを、面ファスナを用いて、腰ベルト２６の幅広部２６ａに当接状態に固定してもよく、腰ベルト２６と収容部１２ａとの位置ずれが防止でき、背中と幅広部２６ａの間に物品をしっかりと挟持できる好ましい状態を維持することができる。さらに、着脱可能な固定手段で固定するので、使用者の体型や物品の形状等に合わせて腰ベルト２６の固定位置を適宜調整することも容易である。
【００２４】
さらに、袋体１２の最も背中面１４側の収容部１２ａを、液体を収容したリザーバー３６用に構成することによって、重量物である飲料水が背中面１４の近傍に配置され、かつ、使用者が運動中に水分補給を行う機能を容易に実現することができる。また、背中面１４に設けた視認窓３４によって収容部１２ａ中の飲料水の残量を、外部から容易に確認することができ、飲料水を補充する際に便利である。従って、激しい運動を伴うトレイルランニング競技等に使用される高機能リュックサックとして最適な構造である。
【００２５】
なお、この発明のリュックサックは上記実施形態に限定されるものではなく、背中面１４は、汗によって背中が蒸れたり濡れたりしないように通気性をよくするため、ナイロンやポリエステル等の繊維によって立体メッシュを形成したものであってもよい。
【００２６】
また、袋体１２の内部に形成される複数の収容部は、背中面と平行に対峙する離間面１８ａ，１８ｂを構成できる構造であれば、境界の仕切り方は自由である。
【図面の簡単な説明】
【００２７】
【図１】この発明のリュックサックの一実施形態の斜視図である。
【図２】この実施形態のリュックサックを背中面側から見た図である。
【図３】図２のＡ−Ａ断面図である。
【符号の説明】
【００２８】
１０  リュックサック
１２  袋体
１２ａ，１２ｂ，１２ｃ  収容部
１４  背中面
１８  貫通孔
１８ａ，１８ｂ  離間面
２０  肩ベルト
２６  腰ベルト
２６ａ  幅広部
２６ｂ  端部
３０ａ，３０ｂ  面ファスナ
３２  接続部材
３４  視認窓
【図１】
2009189430.tif 000003
【図２】
2009189430.tif 000004
【図３】
2009189430.tif 000005